(57)【要約】      （修正有）【課題】携帯用音響機器を収納して保持した状態で、上記携帯用音響機器にイヤホンコードを邪魔にならずに繋ぐことができるバッグを提供する。【解決手段】バッグ本体１３に収納した携帯用音響機器に繋いだイヤホンコード１７をバッグ本体の外部へ取り出して使用しうるコード貫通部１９がバッグ本体に設けられている。上記コード貫通部は、複数本の切込線２１を交差する状態に形成することにより、又は、孔部を形成することにより構成されている。上記コード貫通部は外皮構成片２０に形成され、上記外皮構成片はバッグ本体の外皮部材２２に接合されるか、又は、バッグ本体の外被部材に直に形成されている。【選択図】図１
0003115325.tif 000002
【実用新案登録請求の範囲】
【請求項１】
バッグ本体に収納した携帯用音響機器に繋いだイヤホンコードをバッグ本体の外部へ取り出して使用しうるコード貫通部がバッグ本体に設けられていることを特徴とするバッグ。
【請求項２】
上記コード貫通部は、複数本の切込線を交差する状態に形成することにより構成されていることを特徴とする請求項１記載のバッグ。
【請求項３】
上記コード貫通部は、孔部を形成することにより構成されていることをを特徴とする請求項１記載のバッグ。
【請求項４】
上記コード貫通部は外皮構成片に形成され、上記外皮構成片はバッグ本体の外皮部材に接合されていることを特徴とする請求項１〜３記載のバッグ。
【請求項５】
上記コード貫通部はバッグ本体の外被部材に直に形成されていることを特徴とする請求項１〜３記載のバッグ。
【請求項６】
上記バッグ本体には携帯用音響機器を収納しうるポケットが設けられ、上記コード貫通部は上記ポケットに形成されていることを特徴とする請求項１〜５記載のバッグ。
【請求項７】
スクールバッグとして形成されていることを特徴とする請求項１〜６記載のバッグ。
【考案の詳細な説明】
【技術分野】
【０００１】
本考案はバッグに係り、特に、収納した携帯用音響機器から音楽等を聴くのに便利なバッグに関する。
【背景技術】
【０００２】
近年、アナログの携帯用音響機器に加え、デジタルの携帯用音響機器も広く普及するようになり、外出時に携帯用音響機器を携帯し、例えば電車等の中で音楽等を聴いて楽しむ人が増えている。
【０００３】
上記携帯用音響機器は小型化、薄型化が進み、例えば衣服の胸ポケットなどに収納して携帯することもできるが、ポケットには定期券や携帯電話等を収納する必要もあり、バッグに収納して携帯する人も多い。
【０００４】
電車等の中で携帯用音響機器から音楽等を聴く場合は、周囲の人に迷惑をかけないように、携帯用音響機器にイヤホンコードを繋いで音が周囲に漏れないようにする必要がある。
【０００５】
しかしながら、バッグに携帯用音響機器を収納してイヤホンコードを繋いだ場合は、そのイヤホンコードをバッグの開口部から外部へ取り出すほかはなく、バッグの開口部で物を出し入れする場合にイヤホンコードが邪魔になるという不具合があった。
【０００６】
本出願人は、上記の不具合を解消しうるバッグについて先行技術を調査したが、関連する先行技術文献を見出すことはできなかった。
【考案の開示】
【考案が解決しようとする課題】
【０００７】
そこで本考案の課題は、収納して保持する携帯用音響機器にイヤホンコードを邪魔にならずに繋ぐことができるバッグを提供することにある。
【課題を解決するための手段】
【０００８】
上記課題を解決するために、請求項１記載の本考案に係るバッグは、バッグ本体に収納した携帯用音響機器に繋いだイヤホンコードをバッグ本体の外部へ取り出して使用しうるコード貫通部がバッグ本体に設けられていることを特徴とするものである。
【０００９】
即ち、請求項１記載の本考案に係るバッグにあっては、バッグ本体に携帯用音響機器を収納し、その携帯用音響機器にイヤホンコードを繋いでイヤホンにより音楽等を聴く場合に、上記イヤホンコードをバッグ本体の開口部から外部に取り出すのではなく、上記コード貫通部から外部に取り出して使用しうるように構成されている。
なお、ここでイヤホンにはヘッドフォンも含まれるものとする。
【００１０】
また、請求項２記載の本考案に係るバッグは、上記コード貫通部は、複数本の切込線を交差する状態に形成することにより構成されていることを特徴とする。
【００１１】
即ち、請求項２記載の本考案に係るバッグにあっては、複数本の切込線を交差する状態に形成すれば、２本の切込線で挟まれた部位を中心の交差した位置から外側へ捲って開口することができるので、上記切込線の交差位置を上記コード貫通部となしたものである。
【００１２】
また、請求項３記載の本考案に係るバッグは、上記コード貫通部は、孔部を形成することにより構成されていることをを特徴とする。
【００１３】
即ち、請求項３記載の本考案に係るバッグにあっては、上記コード貫通部はイヤホンコードを外部へ取り出すことができればよいので、単に孔部を設けて、同孔部を上記コード貫通部となしたものである。
【００１４】
また、請求項４記載の本考案に係るバッグは、上記コード貫通部は外皮構成片に形成され、上記外皮構成片はバッグ本体の外皮部材に接合されていることを特徴とする。
【００１５】
即ち、請求項４記載の本考案に係るバッグにあっては、上記コード貫通部を容易に形成できるように、外皮の一部を構成する外皮構成片に上記コード貫通部を設けるようにしたものである。
【００１６】
また、請求項５記載の本考案に係るバッグは、上記コード貫通部はバッグ本体の外被部材に直に形成されていることを特徴とする。
【００１７】
即ち、請求項５記載の本考案に係るバッグにあっては、上記コード貫通部を設けるために特別な部材を使用しないように、上記コード貫通部をバッグ本体の外被部材に直に形成するようにしたものである。
【００１８】
また、請求項６記載の本考案に係るバッグは、上記バッグ本体には携帯用音響機器を収納しうるポケットが設けられ、上記コード貫通部は上記ポケットに形成されていることを特徴とする。
【００１９】
即ち、請求項６記載の本考案に係るバッグにあっては、携帯用音響機器を他の物品と混じり合わないように隔離して収納するため、上記携帯用音響機器を収納するためのポケットを特に設け、上記コード貫通部は上記ポケットに形成したものである。
【００２０】
また、請求項７記載の本考案に係るバッグは、スクールバッグとして形成されていることを特徴とする。
【００２１】
即ち、請求項７記載の本考案に係るバッグにあっては、学生が上記携帯用音響機器を使用する場合の利便性を高めるために、スクールバッグとして形成するようにしたものである。
【考案の効果】
【００２２】
請求項１記載の本考案に係るバッグは、バッグ本体に収納した携帯用音響機器に繋いだイヤホンコードをバッグ本体の外部へ取り出して使用しうるコード貫通部がバッグ本体に設けられていることから、イヤホンコードをバッグ本体の開口部を通してバッグ本体の外部へ取り出す必要がなく、上記コード貫通部を貫通させて外部に取り出すことができるので、バッグ本体の開口部から物を出し入れする場合にイヤホンコードが邪魔になることがなく、携帯用音響機器を使用する場合の利便性が良い。
【００２３】
また、請求項２記載の本考案に係るバッグは、上記コード貫通部が、複数本の切込線を交差する状態に形成することにより構成されていることから、上記コード貫通部を拡開しやすく、イヤホンコードを容易に貫通させることができる。
【００２４】
また、請求項３記載の本考案に係るバッグは、上記コード貫通部が、孔部を形成することにより構成されていることから、上記孔部を設けるのみで容易に上記コード貫通部を形成することができる。
【００２５】
また、請求項４記載の本考案に係るバッグは、上記コード貫通部が外皮構成片に形成され、上記外皮構成片はバッグ本体の外皮部材に接合されていることから、上記コード貫通部をバッグ本体の外皮部材とは別個に形成し、外皮部材に後から接合できるので、上記コード貫通部を形成しやすい。
【００２６】
また、請求項５記載の本考案に係るバッグは、上記コード貫通部がバッグ本体の外被部材に直に形成されていることから、バッグ本体の外皮部材を形成する際に上記コード貫通部を同時に形成できるので、製造工程の増加を回避することができ、又、上記コード貫通部を設けるために特別な部材を必要としないので、コストを低減することができる。
【００２７】
また、請求項６記載の本考案に係るバッグは、上記バッグ本体には携帯用音響機器を収納しうるポケットが設けられ、上記コード貫通部は上記ポケットに形成されていることから、携帯用音響機器を他の物品とは隔離してバッグ本体に収納することができるので、イヤホンコードを携帯用音響機器に繋ぎやすい。
【００２８】
また、請求項７記載の本考案に係るバッグは、スクールバッグとして形成されていることから、特に学生が登校時や下校時に音楽等を聴いて楽しむ場合に利便である。
【考案を実施するための最良の形態】
【００２９】
以下、図面を用いて本考案の実施の形態について説明する。
本実施の形態に係るバッグ１１は、図１〜図８に示すように、バッグ本体１３に収納した携帯用音響機器１６に繋いだイヤホンコード１７をバッグ本体１３の外部へ取り出して使用しうるコード貫通部１９がバッグ本体１３に設けられている。
上記コード貫通部１９は、図１及び図２に示す実施形態では、複数本の切込線２１を交差する状態に形成することにより構成されている。
また、図３〜図８に示す実施形態では、上記コード貫通部１９は、孔部２５を形成することにより構成されている。
上記コード貫通部１９は、図１〜図８に示すように、外皮構成片２０に形成され、上記外皮構成片２０はバッグ本体１３の外皮部材２２に接合されている。
なお、他の実施形態として、上記コード貫通部１９がバッグ本体１３の外被部材２２に直に形成される場合もありえる。
上記バッグ本体１３には、図１、図３、図４、図５及び図７に示すように、携帯用音響機器１６を収納しうるポケット１５が設けられ、上記コード貫通部１９は上記ポケット１５に形成されている。
また、図１及び図２に示す実施形態では、上記バッグ１１はスクールバッグ１２として形成されている。
【実施例１】
【００３０】
図１及び図２は実施例１に係るバッグ１１を示したものである。
上記バッグ１１は、特に学生が使用するスクールバッグ１２として形成されている。
【００３１】
上記スクールバッグ１２は、バッグ本体１３に一対の持ち手１４が取り付けられ、手に提げて持ち運べるように形成されている。
また、上記バッグ本体１３は、外皮材１４の一部にはポケット１５が形成され、上記ポケット１５はデジタル式携帯用音響機器１６を収納しうるように形成されている。
【００３２】
上記ポケット１５には、上記携帯用音響機器１６に繋いだイヤホンコード１７を外部に取り出してイヤホン１８を使用しうるようにコード貫通部１９が設けられている。
【００３３】
上記コード貫通部１９は、外皮構成片２０に複数本の切込線２１を交差する状態に形成することにより構成されている。
【００３４】
上記コード貫通部１９が形成された上記外皮構成片２０は、バッグ本体１３の外皮部材２２に縫着等の方法により接合されている。
【実施例２】
【００３５】
図３は実施例２に係るバッグ１１を示したものである。
上記バッグ１１は、タウンカジュアルバッグ２３として形成されている。
【００３６】
上記タウンカジュアルバッグ２３は、バッグ本体１３にショルダー２４が取り付けられ、肩に掛けて持ち運べるように形成されている。
【００３７】
また、上記バッグ本体１３は、外皮材１４の一部にはポケット１５が形成され、上記ポケット１５はデジタル式携帯用音響機器１６を収納しうるように形成されている。
【００３８】
上記ポケット１５には、上記携帯用音響機器１６に繋いだイヤホンコード１７を外部に取り出してイヤホン１８を使用しうるようにコード貫通部１９が設けられている。
【００３９】
上記コード貫通部１９は、外皮構成片２０に孔部２５を形成することにより構成されている。
【００４０】
上記コード貫通部１９として形成される上記孔部２５の形状は自由であり、例えば、円形、四角形、三角形、楕円形、ハート形、星形等から任意に選択することができる。
【００４１】
上記コード貫通部１９が形成された上記外皮構成片２０は、バッグ本体１３の外皮部材２２に縫着等の方法により接合されている。
【実施例３】
【００４２】
図４は実施例３に係るバッグ１１を示したものである。
上記バッグ１１は、リュックサック２６として形成されている。
【００４３】
上記リュックサック２６は、バッグ本体１３に一対のショルダー２４が取り付けられ、両肩に掛けて持ち運べるように形成されている。
また、上記バッグ本体１３は、外皮材１４の一部にはポケット１５が形成され、上記ポケット１５は種々の小物と共にデジタル式携帯用音響機器１６を収納しうるように形成されている。
【００４４】
上記ポケット１５には、上記携帯用音響機器１６に繋いだイヤホンコード１７を外部に取り出してイヤホン１８を使用しうるようにコード貫通部１９が設けられている。
【００４５】
上記コード貫通部１９は、外皮構成片２０に孔部２５を形成することにより構成されている。
【００４６】
上記コード貫通部１９が形成された上記外皮構成片２０は、バッグ本体１３の外皮部材２２に縫着等の方法により接合されている。
【実施例４】
【００４７】
図５は実施例４に係るバッグ１１を示したものである。
上記バッグ１１は、運動着や運動用具を収納するスポーツバッグ２７として形成されている。
【００４８】
上記スポーツバッグ２７は、バッグ本体１３に一本のショルダー２４が取り付けられ、肩に掛けて持ち運べるように形成されている。
また、上記バッグ本体１３は、外皮材１４にポケット１５が形成され、上記ポケット１５は種々の小物と共にデジタル式携帯用音響機器１６を収納しうるように形成されている。
【００４９】
上記ポケット１５には、上記携帯用音響機器１６に繋いだイヤホンコード１７を外部に取り出してイヤホン１８を使用しうるようにコード貫通部１９が設けられている。
【００５０】
上記コード貫通部１９は、外皮構成片２０に孔部２５を形成することにより構成されている。
【００５１】
上記コード貫通部１９が形成された上記外皮構成片２０は、バッグ本体１３の外皮部材２２に縫着等の方法により接合されている。
【実施例５】
【００５２】
図６は実施例５に係るバッグ１１を示したものである。
上記バッグ１１は、腰の周囲に取り付けるウェストポーチ２８として形成されている。
【００５３】
上記ウェストポーチ２８は、バッグ本体１３に一本のベルト２９が取り付けられ、腰に巻き付けて持ち運べるように形成されている。
また、上記バッグ本体１３は、その内部に、種々の物品と共にデジタル式携帯用音響機器１６を収納しうるように形成されている。
【００５４】
上記バッグ本体１３には、上記携帯用音響機器１６に繋いだイヤホンコード１７を外部に取り出してイヤホン１８を使用しうるようにコード貫通部１９が設けられている。
【００５５】
上記コード貫通部１９は、外皮構成片２０に孔部２５を形成することにより構成されている。
【００５６】
上記コード貫通部１９が形成された上記外皮構成片２０は、バッグ本体１３の外皮部材２２に縫着等の方法により接合されている。
【実施例６】
【００５７】
図７は実施例６に係るバッグ１１を示したものである。
上記バッグ１１は、ファッションバッグ３０として形成されている。
【００５８】
上記ファッションバッグ３０は、バッグ本体１３に一本のショルダー２４が取り付けられ、肩に掛けて持ち運べるように形成されている。
また、上記バッグ本体１３はポケット１５を有し、その内部にデジタル式携帯用音響機器１６を収納しうるように形成されている。
【００５９】
上記バッグ本体１３には、上記携帯用音響機器１６に繋いだイヤホンコード１７を外部に取り出してイヤホン１８を使用しうるようにコード貫通部１９が設けられている。
【００６０】
上記コード貫通部１９は、外皮構成片２０に孔部２５を形成することにより構成されている。
【００６１】
上記コード貫通部１９が形成された上記外皮構成片２０は、バッグ本体１３の外皮部材２２に縫着等の方法により接合されている。
【実施例７】
【００６２】
図８は実施例７に係るバッグ１１を示したものである。
上記バッグ１１は、トラベルバッグ３１として形成されている。
【００６３】
上記トラベルバッグ３１は、バッグ本体１３に一対の持ち手１４と共に一本のショルダー２４が取り付けられ、手に提げても、肩に掛けても持ち運べるように形成されている。
また、上記バッグ本体１３は、その内部にデジタル式携帯用音響機器１６を収納しうるように形成されている。
【００６４】
上記バッグ本体１３には、上記携帯用音響機器１６に繋いだイヤホンコード１７を外部に取り出してイヤホン１８を使用しうるようにコード貫通部１９が設けられている。
【００６５】
上記コード貫通部１９は、外皮構成片２０に孔部２５を形成することにより構成されている。
【００６６】
上記コード貫通部１９が形成された上記外皮構成片２０は、バッグ本体１３の外皮部材２２に縫着等の方法により接合されている。
【００６７】
上記各実施例では、上記コード貫通部１９が外皮構成片２０に形成され、その上記外皮構成片２０がバッグ本体１３の外皮部材２２に縫着等の方法により接合された構成になっているが、上記外皮構成片２０を用いずに、上記外皮部材２２に直に上記コード貫通部１９が設けられる実施例も可能である。
【００６８】
次に、上記実施例の作用について説明する。
上記実施例に係るバッグ１１は、図１〜図８に示すように、バッグ本体１３に収納した携帯用音響機器１６に繋いだイヤホンコード１７をバッグ本体１３の外部へ取り出して使用しうるコード貫通部１９がバッグ本体１３に設けられていることから、イヤホンコード１７をバッグ本体１３の開口部を通してバッグ本体１３の外部へ取り出す必要がなく、上記コード貫通部１９を貫通させることにより容易に外部へ取り出すことができるので、バッグ本体１３の開口部から物を出し入れする場合に上記イヤホンコード１７が邪魔にならない。従って、使い勝手が良く、携帯用音響機器１６を使用する場合の利便性が良い。
【００６９】
また、上記コード貫通部１９が、図１及び図２に示すように、複数本の切込線２１を交差する状態に形成することにより構成された実施例では、上記コード貫通部１９を拡開しやすいので、イヤホンコード１７を容易に貫通させることができる。
【００７０】
また、図３〜図８に示すように、上記コード貫通部１９が孔部２５を形成することにより構成された実施例では、上記孔部２５を設けるのみで容易に上記コード貫通部１９を形成できるので、加工コストを低減することができる。
【００７１】
また、上記コード貫通部１９は、図１〜図８に示すように、外皮構成片２０に形成され、上記外皮構成片２０はバッグ本体１３の外皮部材２２に接合されていることから、上記コード貫通部１９をバッグ本体１３の外皮部材２２とは別個に形成し、外皮部材２２に後から接合できるので、上記コード貫通部１９を形成しやすい。
なお、上記コード貫通部１９がバッグ本体１３の外被部材２２に直に形成された他の実施例では、バッグ本体１３の外皮部材２２を形成する際に上記コード貫通部１９を同時に形成できるので、製造工程の増加を回避することができ、又、上記コード貫通部１９を設けるために特別な部材を必要としないので、コストを低減することができる。
【００７２】
また、図１、図３、図４、図５及び図７に示すように、上記バッグ本体１３には携帯用音響機器１６を収納しうるポケット１５が設けられ、上記コード貫通部１９が上記ポケット１５に形成された実施例では、携帯用音響機器１６を他の物品とは隔離してポケット１５に収納することができるので、イヤホンコード１７を携帯用音響機器１６に繋ぎやすい。
【００７３】
また、上記バッグ１１が、図１に示すように、スクールバッグ１２として形成されていれば、特に学生が登校時や下校時に音楽等を聴いて楽しむ場合に利便である。
【産業上の利用可能性】
【００７４】
本考案は携帯用音響機器を収納するバッグに適用可能である。
【図面の簡単な説明】
【００７５】
【図１】実施例１に係るバッグの斜視図である。
【図２】実施例１に係るイヤホンコードをコード貫通部に通した状態を示す斜視図である。
【図３】実施例２に係るバッグの斜視図である。
【図４】実施例３に係るバッグの斜視図である。
【図５】実施例４に係るバッグの斜視図である。
【図６】実施例５に係るバッグの斜視図である。
【図７】実施例６に係るバッグの斜視図である。
【図８】実施例７に係るバッグの斜視図である。
【符号の説明】
【００７６】
１１  バッグ
１２  スクールバッグ
１３  バッグ本体
１４  持ち手
１５  ポケット
１６  携帯用音響機器
１７  イヤホンコード
１８  イヤホン
１９  コード貫通部
２０  外皮構成片
２１  切込線
２２  外皮部材
２３  タウンカジュアルバッグ
２４  ショルダー
２５  孔部
２６  リュックサック
２７  スポーツバッグ
２８  ウエストポーチ
２９  ベルト
３０  ファッションバッグ
３１  トラベルバッグ
【図１】
0003115325.tif 000003
【図２】
0003115325.tif 000004
【図３】
0003115325.tif 000005
【図４】
0003115325.tif 000006
【図５】
0003115325.tif 000007
【図６】
0003115325.tif 000008
【図７】
0003115325.tif 000009
【図８】
0003115325.tif 000010